(57)【要約】【課題】端子の形状自体が複雑であったり、端子のケースから突出している部分の周囲がケースによって覆われているような複雑な構造であったりしても、ケースに容易に端子を設置することができる端子ユニット及び端子ユニット付きケースを提供すること。【解決手段】ケース２０に設けた端子ユニット挿入穴３１内に端子ユニット１４０を挿入することで端子ユニット付きケース１８０が構成される。端子ユニット１４０は、途中の部分に第１，第２折り曲げ部１４７，１４５を有する端子１４１と、ケース２０の端子ユニット挿入穴３１内に挿入される形状であって、且つ端子１４１の少なくとも外部端子接続部１４１ａと基板接続部１４１ｂの部分を除く部分にインサート成形される第１，第２端子保持体１４３，１４４と、を具備する。【選択図】図６
2018107128.tif 000002
【特許請求の範囲】
【請求項１】
電子部品収納用のケースに設けた端子ユニット挿入穴内に挿入される端子ユニットであり、
途中の部分に折り曲げ部を有する端子と、
前記ケースの端子ユニット挿入穴内に挿入される形状であって、且つ前記端子の少なくとも端部の部分を除く部分にインサート成形される端子保持体と、
を具備することを特徴とする端子ユニット。
【請求項２】
請求項１に記載の端子ユニットであって、
前記端子保持体は、少なくとも２か所に分割して複数個所に形成されていることを特徴とする端子ユニット。
【請求項３】
請求項１又は２に記載の端子ユニットであって、
前記端子の一方側の端部は、前記ケース内に設置した回路基板に接続される基板接続部であり、
前記端子の他方側の端部は、前記ケースの外部に露出して外部端子を接続させる外部端子接続部である
ことを特徴とする端子ユニット。
【請求項４】
請求項１又は２又は３に記載の端子ユニットと、
前記端子ユニットを挿入する端子ユニット挿入穴を有し、この端子ユニット挿入穴に前記端子ユニットを挿入した状態で、端子の端部を外部に露出し、且つ前記露出した端子の端部の周囲を囲む外部コネクタ着脱凹部を形成したケースと、
を有することを特徴とする端子ユニット付きケース。
【発明の詳細な説明】
【技術分野】
【０００１】
本発明は、外部コネクタに接続する端子（コネクタ部）を有する電子部品に用いて好適な端子ユニット及び端子ユニット付きケースに関するものである。
【背景技術】
【０００２】
従来、例えば特許文献１に示すように、ケース（１０，５０）内に、回転つまみ（１００）や回路基板（１５０）等を収納し、前記回転つまみ（１００）を回転することで、この回転つまみ（１００）に取り付けた摺動子（１４０）を前記回路基板（１５０）に形成した摺接パターン（１５７）に摺接させ、これによって、この回路基板（１５０）に取り付けた複数本の端子（２１）間の検出出力を変化させる構造の回転式電子部品（１）がある。
【０００３】
そして上記複数本の端子（２１）は、その中間部分がケース（１０）内にインサート成形されることでケース（１０）に固定され、ケース（１０）の内側に突出した部分に回路基板（１５０）が接続され、ケース（１０）の外部に突出した部分が、外部端子への接続部になっている。
【先行技術文献】
【特許文献】
【０００４】
【特許文献１】特開２０１４−１２７４０９号公報
【発明の概要】
【発明が解決しようとする課題】
【０００５】
上記回転式電子部品（１）に用いている端子（２１）は、Ｌ字状に１回屈曲しているだけであり、またケース（１０）の外部へ突出している部分の周囲がケース（１０）によって覆われていないため、ケース（１０）に端子（２１）をインサート成形する際の金型構造はそれほど複雑にならない。
【０００６】
しかし、例えば、端子の形状が複数回屈曲するような複雑な形状であったり、端子のケースから外部に突出している部分の周囲がケースによって覆われている構造であったりすると、ケースに端子をインサート成形する際の金型構造が複雑になり、その製造が困難になるという問題があった。
【０００７】
本発明は上述の点に鑑みてなされたものでありその目的は、端子の形状自体が複雑であったり、端子のケースから外部に突出している部分の周囲がケースによって覆われているような構造であったりしても、ケースに容易に端子を設置することができる端子ユニット及び端子ユニット付きケースを提供することにある。
【課題を解決するための手段】
【０００８】
本発明は、電子部品収納用のケースに設けた端子ユニット挿入穴内に挿入される端子ユニットであり、途中の部分に折り曲げ部を有する端子と、前記ケースの端子ユニット挿入穴内に挿入される形状であって、且つ前記端子の少なくとも端部の部分を除く部分にインサート成形される端子保持体と、を具備することを特徴としている。
端子ユニットを、ケースとは別に単独でインサート成形したので、端子ユニット及びこれを取り付けるケースの両者の成形に用いる金型構造を何れも簡素化できる。従って、本発明に係る端子ユニットを用いることによって、例え端子の形状自体が複雑であったり、端子のケースから外部に突出している部分の周囲がケースによって覆われているような複雑な構造であったりしても、容易にケースに端子を設置することができる。
【０００９】
また本発明は、前記端子保持体が、少なくとも２か所に分割して複数個所に形成されていることを特徴としている。
例え端子の形状が複雑であっても、簡単な構造の端子保持部を組み合わせて必要な個所に成形することができるので、金型構造を簡素化することが可能になる。
【００１０】
また本発明は、前記端子の一方側の端部が、前記ケース内に設置した回路基板に接続される基板接続部であり、前記端子の他方側の端部が、前記ケースの外部に露出して外部端子を接続させる外部端子接続部であることを特徴としている。
これによって、ケース内に設置した回路基板に、外部端子を、電気的に容易に接続することができる。
【００１１】
また本発明は、上記端子ユニットと、前記端子ユニットを挿入する端子ユニット挿入穴を有し、この端子ユニット挿入穴に前記端子ユニットを挿入した状態で、端子の端部を外部に露出し、且つ前記露出した端子の端部の周囲を囲む外部コネクタ着脱凹部を形成したケースと、を有することによって構成される端子ユニット付きケースにある。
ケースとは別に単独でインサート成形した端子ユニットを、ケースの端子ユニット挿入穴に挿入するだけで、容易に、ケース内に端子を設置できると共に、ケースの外部コネクタ着脱凹部内に端子の端部を露出させることができる。
【発明の効果】
【００１２】
本発明によれば、端子の形状自体が複雑であったり、端子のケースから外部に突出している部分の周囲がケースによって覆われているような構造であったりしても、ケースに容易に端子を設置することができる。
【図面の簡単な説明】
【００１３】
【図１】回転式電子部品１の斜視図である。
【図２】回転式電子部品１を別の角度から見た斜視図である。
【図３】回転式電子部品１の概略断面図（図１のＡ−Ａ概略断面図）である。
【図４】回転式電子部品１から第３カバー３００と防滴部材２５０と第１カバー２２０と第２カバー７０を分解して示す分解斜視図である。
【図５】図４を別の角度から見た分解斜視図である。
【図６】第３カバー３００と防滴部材２５０と第１カバー２２０と第２カバー７０を除く回転式電子部品１の他の部品の分解斜視図である。
【図７】図６を別の角度から見た分解斜視図である。
【図８】端子１４１と第１端子保持体１４３と第２端子保持体１４４とを分解して示す斜視図である。
【図９】ケース２０を別の角度から見た斜視図である。
【図１０】ケース２０を別の角度から見た斜視図である。
【図１１】端子ユニット付きケース１８０をその側方から見た図である。
【発明を実施するための形態】
【００１４】
以下、本発明の１実施形態に係る端子ユニット付きケース１８０を用いて構成した回転式電子部品１を、図面を参照して詳細に説明する。図１は回転式電子部品１の斜視図、図２は回転式電子部品１を別の角度から見た斜視図、図３は回転式電子部品１の概略断面図（図１のＡ−Ａ概略断面図）、図４は回転式電子部品１から第３カバー３００と防滴部材（以下「パッキン」という）２５０と第１カバー２２０と第２カバー７０を分解して示す分解斜視図、図５は図４を別の角度から見た分解斜視図、図６は第３カバー３００とパッキン２５０と第１カバー２２０と第２カバー７０を除く回転式電子部品１の他の部品の分解斜視図、図７は図６を別の角度から見た分解斜視図である。なお、回転つまみ１００の操作部１０１を露出する面側を前面、その反対側を後面といい、また図１に表示している第３カバー３００の上を向いている面側を「上」、その反対側を「下」といい、また前後方向と上下方向の両方向に直交する水平方向を左右方向ということとする。
【００１５】
これらの図に示すように、回転式電子部品１は、ケース２０と、第２カバー７０と、一対の摺動子１３０を取り付けた回転つまみ１００と、端子ユニット１４０と、回路基板１６０と、導光体１９０と、第１カバー２２０と、パッキン２５０と、第３カバー３００とを具備して構成されている。
【００１６】
図９，図１０は、ケース２０をそれぞれ別の角度から見た斜視図である。図１〜図７、図９、図１０に示すように、ケース２０は非透明材料からなる合成樹脂の一体成形品であり、例えば図６，図７に示すように、略平板状の基部２０Ａの上下の辺に、左右方向に延びる側壁部２０Ｂ、２０Ｃを設けることで、基部２０Ａの一方の面側に第１収納部２５を形成し、他方の面側に第２収納部２３を形成している。基部２０Ａの前方には側壁部２０Ｂ、２０Ｃが形成されていない。また、基部２０Ａの後方には、略箱型に突出するコネクタ部（コネクタ）２０Ｄが形成されている。そして、基部２０Ａには、第２収納部２３側に向かって突出する略円筒状の軸受部２１が設けられている。軸受部２１の中央は、基部２０Ａを貫通する挿通部２２となっている。また、側壁部２０Ｂ，２０Ｃの第２収納部２３側の部分には、下記する第２カバー７０の爪部７９を係止する矩形状の貫通孔からなる一対の被係止部２７が設けられている。また側壁部２０Ｂ，２０Ｃの第１収納部２５側の部分には、下記する第１カバー２２０の爪部２２３を係止する矩形状の貫通孔からなる一対の被係止部２９が形成されている。また側壁部２０Ｂ，２０Ｃの外面の前記両被係止部２７，２９の間の位置には、下記する第３カバー３００の被係止部３０９を係止する爪状の一対の係止部３０が形成されている。基部２０Ａの第１収納部２５側の面の外周近傍部分を囲む部分は、下記する導光体１９０の外周先端面１９４を当接する当接面となっている。
【００１７】
一方、コネクタ部２０Ｄは、後方に向けて矩形箱型に突出するコネクタ本体部４３を有し、このコネクタ本体部４３の後方の面に、凹状の外部コネクタ着脱凹部４５を形成している。またコネクタ部２０Ｄは、第１収納部２５側に向かって開口する略Ｌ字状で凹状の端子ユニット挿入穴３１も有している。外部コネクタ着脱凹部４５と端子ユニット挿入穴３１は連通している。そして端子ユニット挿入穴３１に下記する端子ユニット１４０を挿入することで、端子ユニット１４０の後方側を向く端子１４１の部分（外部端子接続部１４１ａ）が、図２に示すように、前記外部コネクタ着脱凹部４５内に配置され、コネクタ部２０Ｄが構成される。このコネクタ部２０Ｄには、外部コネクタ着脱凹部４５にその後方から図示しない外部コネクタが挿入され、外部コネクタに設けたメス側の各端子が前記各端子１４１（外部端子接続部１４１ａ）に接続される。
【００１８】
一方、前記軸受部２１の円弧状外周面の一部分と、その左右両側壁部２０Ｂ、２０Ｃの第２収納部２３側の前方の辺は、パッキン搭載面３３（３３ａ〜３３ｃ）となっている。また基部２０Ａの第１収納部２５側の面の中央付近（下記する回路基板１６０の各ガイド部１７３に対向する位置）には、一対の棒状に突出する基板ガイド部３５が形成されている。また側壁部２０Ｂ、２０Ｃの第１収納部２５側に突出している部分の前方近傍部分の外面側には、左右方向に向かって伸びる平板状の突出部３７とその後方の凹部３９とが形成されている。さらに凹部３９の後方の側壁部２０Ｂ、２０Ｃの先端面には、小穴からなる挿入部４１が形成されている。また図示はしていないが、第２収納部２３内の軸受部２１を設けた根元部分の面（下記するクリック用ボール１２７に対向する位置）には、円弧状方向（クリック用ボール１２７の移動する円弧方向）に向かって凹凸するクリック係合部が形成されている。
【００１９】
第２カバー７０は、非透明材料からなる合成樹脂を一体成形して構成されており、略平板矩形状のケース本体部７１と、ケース本体部７１から回転つまみ１００側に向けて突出する円板状のつまみ支持部７３とを具備して構成されている。つまみ支持部７３の外周にはケース側に向けて突出する円筒状の外側壁７４が設けられ、その内側には同心円状に突出する有底円筒状の突出部７５が設けられている。ケース本体部７１の上下両側辺からは、回転つまみ１００側に向けて一対の係止爪７７が突出している。係止爪７７は平板状であり、その先端近傍の両外側位置に爪部７９を設けている。またケース本体部７１の外周の一部は、下記するパッキン２５０を当接するパッキン搭載面８１となっている。
【００２０】
回転つまみ１００は合成樹脂の成形品であり、透明材料と非透明材料からなる二色成形品である。回転つまみ１００は略円板形状であり、その外周面が操作部１０１となっている。回転つまみ１００の第２カバー７０側を向く面には、円形の凹部１０３が設けられ、凹部１０３内には、２つの筒状の突出部１０５，１０７が同心円状に突設されている。両突出部１０５，１０７の間の円形の凹部は、前記第２カバー７０の突出部７５を挿入する挿入部１０９となっている。また突出部１０７中央の凹部の底面は、略円錐凹状の光反射面１１０（図３参照）となっている。回転つまみ１００のケース２０側を向く面の中央からは、略円柱形状の軸部１１１が突出している。軸部１１１の上面には、一対の摺動子１３０が取り付けられており、さらにその中央位置からは円錐台形状の導光用突起１１５が突出している。導光用突起１１５の先端面は光入射面１１７になっている。両摺動子１３０は同一形状であり、基部１３１から円弧状のアーム部１３３を突出して基部１３１上に折り返し、アーム部１３３の中央位置に接点部１３５を形成して構成されている。軸部１１１の周囲には、リング状の防滴用凹部１２３が形成されている。また回転つまみ１００のケース２０側を向く面の外周部分には、有底円形の穴からなるクリック機構収納部１２４が形成されている。クリック機構収納部１２４には、コイルバネ１２５とクリック用ボール１２７とが収納される。
【００２１】
また上述のように、回転つまみ１００は、２種類の樹脂Ａ１，Ａ２（図３参照）を一体成形することによって構成されている。一方の樹脂Ａ１は透明な樹脂であり、もう一方の樹脂Ａ２は不透明な樹脂である。透明な樹脂Ａ１は、その全体がつまみ用導光部Ａ１を構成し、この回転つまみ１００の軸部１１１と操作部１０１の間を光学的につないでおり、操作部１０１の外周面と、導光用突起１１５の光入射面１１７間を光学的に結ぶように成形されている。光入射面１１７は円形の平面状に形成されている。つまみ用導光部Ａ１は、略円板状の導光本体部Ａ１１と、導光本体部Ａ１１の中心から軸部１１１側に垂直に突出して軸部１１１の中心部分を構成する導光軸部Ａ１３とを具備している。導光本体部Ａ１１の導光軸部Ａ１３とは反対側の面の中央に、前記光反射面１１０が形成されている。また前記両突出部１０５，１０７も導光本体部Ａ１１の一部を構成している。一方、樹脂Ａ２は、導光本体部Ａ１１の光反射面１１０側の面の操作部１０１の裏面側の部分と、導光本体部Ａ１１の軸部１１１側の面略全体の部分とに形成されており、軸部１１１の導光軸部Ａ１３を除く部分と、防滴用凹部１２３とを構成している。
【００２２】
端子ユニット１４０は、６本の金属製の端子１４１を、略矩形平板状で成形樹脂製の第１端子保持体１４３と、略四角棒状で成形樹脂製の第２端子保持体１４４の２か所においてインサート成形して構成されている。各端子１４１の後方を向く端部は外部端子接続部１４１ａ、反対側の端部は基板接続部１４１ｂとなっている。各端子１４１は、略平行に設置されていて、さらに具体的に言えば、後方側の外部端子接続部１４１ａは左右方向に平行に設置され、基板接続部１４１ｂは上下方向に平行に設置されている。図８は、端子１４１と第１端子保持体１４３と第２端子保持体１４４とを分解して示す斜視図である。同図に示すように、６本の各端子１４１は、棒状であって、それぞれその途中の２か所でほぼ直角に屈曲することで、その一端は後方に向かって１列に６本突出し、他端は一側面側を向いて１列に６本突出している。各端子１４１の途中の部分は、第２折り曲げ部１４５と第１折り曲げ部１４７において、折り曲げられている。即ち、各端子１４１は、外部端子接続部１４１ａ側から所定の距離にある第２折り曲げ部１４５のところで、下方向にほぼ直角に折り曲げられ、次に、所定の距離にある第１折り曲げ部１４７のところで、右方向に向けて直角になるように折り曲げられている。第１折り曲げ部１４７は、１回で直角に折り曲げられる端子１４１と、２回約４５度ずつ折り曲げることで直角に折り曲げられる端子１４１とがある。
【００２３】
第１端子保持体１４３は、前記端子１４１の第２折り曲げ部１４５よりも基板接続部１４１ｂ側の部分に成形され、第１折り曲げ部１４７の略全体を覆っている。この第１端子保持体１４３は、ケース２０に設けた略Ｌ字状の端子ユニット挿入穴３１の上下方向に延びている部分にほぼぴったり圧入される寸法に形成されている。第１端子保持体１４３は、第１折り曲げ部１４７の略全体を覆うことで、折れ曲がって強度の弱くなる部分を補強する作用も有する。第２端子保持体１４４は、前記端子１４１の第２折り曲げ部１４５よりも外部端子接続部１４１ａ側の部分に成形されている。この外部端子接続部１４１ａは、ケース２０に設けた端子ユニット挿入穴３１の前後方向に延びている部分の一部の部分にほぼぴったり圧入される寸法に形成されている。
【００２４】
回路基板１６０は、硬質で略矩形状の板からなる絶縁基板１６１の所定位置に、円形の貫通する挿通部１６３を設け、この挿通部１６３の周囲の回転つまみ１００を向く面側に、前記摺動子１３０の接点部１３５を摺接させる摺接パターン１６５を形成し、また絶縁基板１６１の後方の外周辺近傍に一列に前記端子１４１の一端（基板接続部１４１ｂ）を挿入する６つの小孔からなる端子挿入孔１６７を形成し、また絶縁基板１６１の前記摺接パターン１６５を設けた反対の面側の所定位置に発光素子１６９と他の各種電子部品１７１とを取り付け、さらに前記ケース２０の各基板ガイド部３５に対向する位置にこれらを挿入する小孔からなるガイド部１７３を形成して構成されている。絶縁基板１６１上には、図示しない回路パターンが形成されており、前記摺接パターン１６５や発光素子１６９や各種電子部品１７１や前記端子挿入孔１６７に取り付けられる端子１４１間を電気的に接続する。摺接パターン１６５としては、スイッチパターンや抵抗体パターン等の種々のパターンが適用できる。
【００２５】
導光体１９０は、透明な合成樹脂を、回路基板１６０側の面が解放された略矩形箱型に一体成形して構成されている。導光体１９０の回路基板１６０側を向く面は凹状の基板収納部１９１となっており、その底面の所定位置から円柱状の光導出部１９３が突出している。基板収納部１９１は、前記回路基板１６０全体を収納して覆う形状に形成されていて、その外周側壁の内周面の根元にはこれを囲むように、段状の基板当接面１９２が形成されている。また導光体１９０の外周側壁の先端面は、その全体が同一平面とされた外周先端面１９４となっている。光導出部１９３は前記回路基板１６０の挿通部１６３に挿入できる寸法に形成されており、その先端面は光出射面１９５となっている。光出射面１９５は円形の平面状に形成されており、前記回転つまみ１００の光入射面１１７と同一の外径寸法に形成されている。また導光体１９０の第３カバー３００側の外周面（前面）も光出射面１９７となっている。また、導光体１９０の第１カバー２２０側の面（背面）には、光出射面１９５，１９７方向に光を反射させる光反射面１９９が形成されている。光反射面１９９は、導光体１９０の背面のほぼ中央（前記回路基板１６０に取り付けた発光素子１６９に対向する位置）に形成される複数の傾斜面（水平面も含む）によって形成されており、発光素子１６９から発射されて導光体１９０内に導入された光を、光出射面１９５と光出射面１９７に向けて反射する形状に形成されている。また導光体１９０の基板収納部１９１の底面の、前記ケース２０の各基板ガイド部３５に対向する位置には、これらを挿入する有底の小穴からなるガイド部挿入部２０３が形成されている。
【００２６】
第１カバー２２０は、非透明な合成樹脂を略平板矩形状に成形して構成されており、前記ケース２０の第１収納部２５を略覆う外形形状に形成されている。第１カバー２２０の上下両側辺からは、ケース２０側に向けて一対の係止爪２２１を突出している。係止爪２２１は平板状であり、その先端近傍の両外側位置に爪部２２３を設けている。また第１カバー２２０の前面側付近のケース２０側を向く面には、前記ケース２０の凹部３９に挿入される形状のガイド突起２２５と、前記ケース２０の挿入部４１に挿入される形状のガイド突起２２７が形成されている。
【００２７】
パッキン２５０は、エラストマー等の弾性体を、横断面円形で略矩形のリング状に形成し、３辺を直線状に、もう１つの辺を円弧状に湾曲した形状として構成されている。
【００２８】
第３カバー３００は、合成樹脂の成形品であり、ケース２０側が解放された略矩形箱型に成形して構成されており、これによって収納部３０１を形成している。第３カバー３００の前面（以下「化粧面」という）３０３の前記回転つまみ１００に対向する位置には、回転つまみ１００の操作部１０１の一部を露出する開口３０５が形成され、また前記導光体１９０の光出射面１９７に対向する位置には、照光部３０７が形成されている。照光部３０７は、第３カバー３００を構成する透明な成形樹脂の表面に塗布した不透光性の塗装を、所望の文字や記号等の形状にレーザー等によって切り欠くことで形成されているが、他の種々の方法によって形成しても良い。第３カバー３００の対向する上下両側面の所定位置には、それぞれ前記ケース２０の係止部３０に係止される矩形状の貫通孔からなる被係止部３０９が形成されている。
【００２９】
次に、回転式電子部品１を組み立てるには、まず予め、回転つまみ１００の防滴用凹部１２３内に、防滴用のグリスＧ（図３参照）を充填し、且つこの回転つまみ１００に一対の摺動子１３０を取り付けておく。一方、端子ユニット１４０の側方に向かって突出する各端子１４１の基板接続部１４１ｂを、回路基板１６０の各端子挿入孔１６７に挿入し、その反対側において回路基板１６０上の回路パターンに半田によって固定しておく。
【００３０】
そして、ケース２０の第２収納部２３内に、前記摺動子１３０を取り付け且つコイルバネ１２５とクリック用ボール１２７をクリック機構収納部１２４に収納した回転つまみ１００を収納し、その際、回転つまみ１００の軸部１１１を、ケース２０の軸受部２１内に回動自在に挿入し、軸支する。このとき、回転つまみ１００のグリスＧを充填した防滴用凹部１２３内に、ケース２０の軸受部２１が挿入されることで、防滴処理部が形成される。次に、前記回転つまみ１００の側面を覆うように、第２カバー７０を取り付け、係止爪７７の爪部７９をケース２０の被係止部２７に係止し、これによって回転つまみ１００を挟んだ状態で第２カバー７０をケース２０に取り付ける。このとき、第２カバー７０のつまみ支持部７３が回転つまみ１００の側面を覆い、その突出部７５が回転つまみ１００の挿入部１０９に挿入される。
【００３１】
次に、前記端子ユニット１４０を取り付けた回路基板１６０をケース２０の第１収納部２５内に収納する。このとき、端子ユニット１４０は、ケース２０の略Ｌ字状の端子ユニット挿入穴３１内に圧入・収納され、固定される。これによって、端子ユニット１４０の各外部端子接続部１４１ａは、図２に示すように、ケース２０の外部コネクタ着脱凹部４５内に位置（露出）し、これによって、コネクタ部２０Ｄが構成される。
【００３２】
次に、前記回路基板１６０の上から、導光体１９０を、ケース２０の第１収納部２５内に収納し、さらにその上から第１カバー２２０を被せる。そして第１カバー２２０の各爪部２２３を、ケース２０の各被係止部２９に係止する。このときケース２０の一対の基板ガイド部３５が、回路基板１６０の各ガイド部１７３を貫通して更に導光体１９０の各ガイド部挿入部２０３に挿入され、これら各部材が位置決めされる。またこのとき、第１カバー２２０のガイド突起２２５がケース２０の凹部３９に挿入され、第１カバー２２０のガイド突起２２７がケース２０の挿入部４１に挿入される。このとき、回路基板１６０を収納した導光体１９０は、その外周の外周先端面１９４がケース２０の基部２０Ａに当接することで、回路基板１６０を囲む空間は防滴され、回路基板１６０への液体の浸入が防止される。
【００３３】
またこのとき、回路基板１６０の摺接パターン１６５には、摺動子１３０の接点部１３５が当接する。また、導光体１９０は回路基板１６０を覆っていて且つ回路基板１６０の発光素子１６９を設置した側の面の外周部分は導光体１９０の基板当接面１９２に当接している。また導光体１９０の光導出部１９３は、回路基板１６０の挿通部１６３に挿入され、その先端の光出射面１９５は回転つまみ１００の光入射面１１７に接近して対向している。
【００３４】
次に、パッキン２５０を、第３カバー３００のケース本体収納部３０１内に挿入して、第３カバー３００の開口３０５の裏側を囲む位置に設けたパッキン搭載面３１１（図３参照）に当接・設置する。そして、このパッキン２５０を取り付けた第３カバー３００を、前記ケース２０の回転つまみ１００を露出する側の部分に、その上から被せるように取り付ける。その際、各係止部３０を、第３カバー３００の各被係止部３０９に係止し、これによって図１〜図３に示す回転式電子部品１の組み立てが完了する。なお上記組立手順はその一例であり、他の各種異なる組立手順を用いて組み立てても良いことはいうまでもない。
【００３５】
このとき、図１，図３に示すように、回転つまみ１００の操作部１０１の一部は、開口３０５から露出する。また第３カバー３００の照光部３０７の裏面に対向する位置に、導光体１９０の光出射面１９７が配置される。またこのとき、パッキン２５０は、第３カバー３００のパッキン搭載面３１１と、前記ケース２０及び第２カバー７０のパッキン搭載面３３（３３ａ〜３３ｃ），８１との間で挟持され、密閉される。
【００３６】
以上のようにして組み立てられた回転式電子部品１において、回転つまみ１００を回転すると、摺動子１３０の接点部１３５が回路基板１６０の摺接パターン１６５上を摺動し、これによって各端子１４１間の検出出力が変化する。
【００３７】
一方、発光素子１６９を発光すれば、その光は図３に一点鎖線で示すように、導光体１９０内に導入される。導光体１９０内に導入された光の一部は、光反射面１９９で反射されることで前記光出射面１９７に向かい、その面から放出され、前記第３カバー３００の照光部３０７をその裏面側から明るく照らし出す。一方、発光素子１６９から導光体１９０内に導入された光の一部は、光反射面１９９で反射されることで、前記光出射面１９５に向かい、その面から放出され、回転つまみ１００の光入射面１１７からつまみ用導光部Ａ１内に導入される。つまみ用導光部Ａ１内に導入された光は、導光軸部Ａ１３内を進み、光反射面１１０等で反射されることで、導光本体部Ａ１１内を進み、操作部１０１の外周面に導かれ、操作部１０１を明るく照らし出す。
【００３８】
一方、この回転式電子部品１は、図示しない電子機器の操作パネルに装着され、その際、第３カバー３００の化粧面３０３が、操作パネルの外部に露出する。そしてこの操作パネルの外部に露出した化粧面３０３に液体がかかることがある。かかった液体は、第３カバー３００の開口３０５からその内部に浸入するが、浸入した液体は、パッキン２５０によって、その内側への浸入が阻止される。
【００３９】
ところで、本発明に係る端子ユニット付きケース１８０は、図１１に示すように、ケース２０の端子ユニット挿入穴３１に、端子ユニット１４０を収納したものをいう。即ち、図１１は端子ユニット付きケース１８０をその側方から見た図である。同図に示すように、Ｌ字状の端子ユニット１４０は、真っ直ぐにＬ字状の端子ユニット挿入穴３１に圧入するだけで容易に装着できる。且つ、圧入するだけで、端子ユニット１４０の外部端子接続部１４１ａを、ケース２０の外部コネクタ着脱凹部４５内に配置でき、コネクタ部２０Ｄを構成できる。つまり、ケース２０とは別に単独でインサート成形した端子ユニット１４０を、ケース２０の端子ユニット挿入穴３１に挿入するだけで、容易に、ケース２０の外部コネクタ着脱凹部４５内に端子の端部（外部端子接続部１４１ａ）を露出させることができる。同時に、端子ユニット１４０の基板接続部１４１ｂを、ケース２０の内部に配置でき、これに回路基板１６０を容易に接続できる。またこの実施形態の場合、端子ユニット１４０を、Ｌ字状に屈曲した状態でケース２０の端子ユニット挿入穴３１内に装着するので、外部端子接続部１４１ａを後方に引っ張る力に対して、ケース２０への端子ユニット１４０の装着強度を強くすることができる。このため、外部コネクタ着脱凹部４５に図示しない外部コネクタを着脱して外部コネクタに取り付けた図示しない各メス側端子を、各外部端子接続部１４１ａに着脱しても、各外部端子接続部１４１ａが後方に引き抜かれたりすることはない。
【００４０】
以上説明したように、端子ユニット１４０を、ケース２０とは別に単独でインサート成形したので、端子ユニット１４０及びこれを取り付けるケース２０の両者の成形に用いる金型構造を何れも簡素化できる。従って、この端子ユニット１４０を用いることによって、例え端子１４１の形状自体が複雑であったり、端子１４１のケース２０から突出している部分の周囲が外部コネクタ着脱凹部４５によって覆われているような複雑な構造であったりしても、容易にケース２０に端子１４１を設置することができる。さらに説明すると、端子ユニット１４０を用いることで、ケース２０のコネクタ部２０Ｄを成形する際は、外部コネクタ着脱凹部４５の内部形状に合わせた簡単な構造の成形金型を使用すればよく、端子１４１の形状等を考慮した複雑な構造にする必要がない。即ちもし端子ユニット１４０を使用しないで、端子１４１を直接ケース２０内にインサート成形し、且つコネクタ部２０Ｄを成形しようとすると、各端子１４１の外部端子接続部１４１ａが露出するようにこれらを挿入する穴を設けた複雑な構造の成形金型を作成し、成形時に各端子１４１の外部端子接続部１４１ａを成形金型に設けた穴に挿入しなければならないため、成形金型の寸法精度と、端子１４１の端子ピッチ間の寸法精度が要求され、さらに端子１４１を成形金型の穴に挿入する際も、端子１４１が穴の周囲に引っ掛かって折れ曲がらないようにしなければならないため、ケース２０の製作がかなり困難になる。また仮にケース２０に端子１４１を直接インサート成形して、且つ外部コネクタ着脱凹部４５を有するコネクタ部２０Ｄを形成したとしても、端子１４１をインサート成形する際に、成形金型内において端子１４１を押えておくためのピンが必要になり、成形後にケース２０にピン穴が形成されてしまう。そしてピン穴には端子１４１が露出しているため、ピン穴に液体等が浸入すると、ショート等の原因となる。
【００４１】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記実施形態では、２か所で折り曲げた端子に端子保持体を成形する例を示したが、１か所で折り曲げた端子に端子保持体を成形しても良いし、３か所以上で折り曲げた端子に端子保持体を成形してもよい。また成形する端子保持体も、２つに限らず、１つ又は３つ以上であっても良い。また本発明は、回転式電子部品以外の各種電子部品に適用してもよく、要は、電子部品収納用のケースに端子を取り付けるものであれば、どのようなものにも適用できる。
【００４２】
また、上記記載及び各図で示した実施形態は、その目的及び構成等に矛盾がない限り、互いの記載内容を組み合わせることが可能である。また、上記記載及び各図の記載内容は、その一部であっても、それぞれ独立した実施形態になり得るものであり、本発明の実施形態は上記記載及び各図を組み合わせた一つの実施形態に限定されるものではない。
【符号の説明】
【００４３】
１  回転式電子部品（電子部品）
２０  ケース
３１  端子ユニット挿入穴
４５  外部コネクタ着脱凹部
１４０  端子ユニット
１４１  端子
１４１ａ  外部端子接続部（端部）
１４３  第１端子保持体（端子保持体）
１４４  第２端子保持体（端子保持体）
１４５  第２折り曲げ部（折り曲げ部）
１４７  第１折り曲げ部（折り曲げ部）
１８０  端子ユニット付きケース
【図１】
2018107128.tif 000003
【図２】
2018107128.tif 000004
【図３】
2018107128.tif 000005
【図４】
2018107128.tif 000006
【図５】
2018107128.tif 000007
【図６】
2018107128.tif 000008
【図７】
2018107128.tif 000009
【図８】
2018107128.tif 000010
【図９】
2018107128.tif 000011
【図１０】
2018107128.tif 000012
【図１１】
2018107128.tif 000013